(57)【要約】【課題】  瓦本体後端部の防水リブを高くすることによらず、強風時にあっても大量の雨水が野地板側に侵入することを無くした防水上すぐれる平板瓦葺きの屋根瓦を提供すること。【解決手段】  矩形状をした瓦本体１を、左右に隣接するもの相互はその側端部が重合され、下列のものの棟側表面に上列のものの軒側端部が重ねられた状態に設置され施工なされる屋根瓦である。瓦本体１の左右に隣接するもの相互の表面が略同一高さをもって重合されるようその一方側端部３を全体表面２より低位置とし、一方側端部３の表面側と他方側端部の裏面側それぞれに上下にわたる突条３２、４２を設けて樋状部を形成する。一方側端部３の表面からの立下り部３３に瓦本体１の外側に向けた突片５１、５２を配設する。【選択図】図１
2005213726.tif 000002
【特許請求の範囲】
【請求項１】
矩形状をした瓦本体を、左右に隣接するもの相互はその側端部が重合され、下列のものの棟側表面に上列のものの軒側端部が重ねられた状態に設置され施工なされる屋根瓦であって、
前記瓦本体の左右に隣接するもの相互の表面が略同一高さをもって重合されるようその一方側端部を全体表面より低位置とし、一方側端部の表面側と他方側端部の裏面側それぞれに上下にわたる突条を設けて樋状部を形成するとともに、一方側端部の表面からの立下り部に瓦本体の外側に向けた突片を配設したことを特徴とする屋根瓦。
【請求項２】
前記突片を、その先端が軒側に向かうよう斜めに形成したことを特徴とする請求項１記載の屋根瓦。
【請求項３】
前記立下り部を段差状とし、前記突片を瓦本体の他方側端部が重合されるときの位置規制をおこなう上部突片と同上部突片より上下方向にずれた下部突片とにより形成したことを特徴とする請求項１または請求項２いずれかに記載の屋根瓦。
【請求項４】
前記突片を複数設けるとともに、前記上部突片と下部突片を互いに異なる位置に配置したことを特徴とする請求項３記載の屋根瓦。
【発明の詳細な説明】
【技術分野】
【０００１】
本発明は屋根瓦に関し、詳しくは、下列の瓦本体の棟側表面に上列の瓦本体の軒側端部を重ねて施工する屋根瓦に関する。
【背景技術】
【０００２】
従来、屋根瓦としては、陶器瓦などの粘土系、石綿セメント板瓦や繊維入りセメント板瓦などのスレート系、アルミ合金、銅板などを用いて裏側に断熱材を入れた金属系、またはその他の無機質材の屋根成形材料により形成されたセメント系の、４つの種類の瓦が知られている。
【０００３】
上記スレート系の屋根瓦においては、矩形状平板瓦である瓦本体の、下段のものの横方向側端部を当接させながら横方向に連接し、この下段のものの上に上段のものが等間隔に配置されるように重ね、この上段の瓦本体も横方向側端部を当接させながら横方向に下段の瓦本体と同様に連接していくものであり、さらに、上段の瓦本体上に順次同様にして棟方向に葺設していくものである。
【０００４】
このようなスレート系の屋根瓦は、瓦本体の厚さが９〜１５ｍｍ程度しかない。そのため、屋根全体のデザイン上に重厚感をもたせることができなかった。すなわち、重厚感のあるようにするためには、瓦本体前端の厚みを厚くする必要が生じて屋根瓦全体の重量が増すこととなり、家全体の補強の必要性が生じたり、屋根、すなわち高所での施工作業がやりにくくなるという問題も生ずるからである。
【０００５】
そこで本願発明者らは、樹脂など軽量化の可能な材料を用いて瓦本体を製作する研究をおこなってきたが、その際に、施工された状態にて重厚感を出すために瓦本体の前側端部に立上り部を設け、この前側端部の立上り部を下段の瓦本体後側端部に重合させることや、瓦本体横方向の両側端部の重合構造を種々検討した。
【０００６】
軽量化材料を用いて重厚感を得るよう瓦本体を形成した屋根瓦として、例えば図３に示す、特開２００３−１９３６２４号公報に示されるようなものが提案されている。このものは、矩形状をした瓦本体１００の、横方向の各々の側端部に下片部と上片部とからなる第一重合部１０１を有するとともに前側端部を下段の瓦本体の後側端部に重合する第二重合部を設けて成る屋根瓦である。そして、横方向の両側端部の重合部からの雨水の浸入や、火事などによる炎が内部に入りやすくなるのを防いで雨仕舞い性や防火性を改良するため、図３に示す如く、第一重合部１０１の、一方の側端部の下片部１０２を樋状に形成するとともに、他方の側端部の上片部裏面端部に第一垂下片１０３を形成し、この下片部と上片部とを重合して成るものである。
【０００７】
上記平板瓦葺きの施工に関しては、たとえば図４に例示したように、軒先側から順に重ね葺き施工されるが、まず下段の瓦本体１００を、棟側となるその後端部において、屋根下地材である野地板上の桟木１０４等にビス止めする。このとき、上段の瓦本体１００の先端部、すなわち軒側の端部を固定するための金属製の瓦固定具１０５をビス止めと同時に取り付ける構造が検討されている。
【０００８】
なお、この平板瓦葺きによる屋根にあっては、軒先構造においては同図に示すように、最下段の瓦本体１００の先端側下側に、野地板の軒先側端面を隠す、防水用の長尺状の軒先水切り部材１０７を併設させている。この軒先水切り部材１０７は、野地板の横桟木１０６にくぎ打ち固定され、最下段の瓦本体１００の前端部を横桟木１０６を貫通させて、野地板にパッキン付きの化粧ビス（図示せず）を用いて脳天ビス留め止めにより固定するようにしている。また、切妻部の防水構造は、野地板の側端面を隠す断面略Ｌ字で長尺状の切妻水切り部材１０９を重ねるよう併設させるが、水切り部材の上面にクッション性を有する長尺シート状の防水パッキン１０８を介在させる。
【０００９】
したがって、上記構成により、特に樹脂製等の軽量な平板瓦の重ね葺きにおいて、強風時に瓦先端部が浮いてバタツキが生ずることを効果的に防止することができ、さらに、下段の瓦本体１００上に葺設された上段の瓦本体の横方向の両側端部の重合部からの雨水の浸入や、炎の進入を防止することのできて、軽量でしかも重厚感のある屋根瓦を提供することが可能となった。
【００１０】
ところで、屋根瓦による平板瓦葺きにあっては、強風時に雨水が瓦本体の横方向両側端部の重合部樋状を軒から棟に逆流することが懸念されている。そのため、図５に示すように上記第二重合部となる瓦本体後端部の防水リブ１１０を延長させることが好ましい。しかしながら、雨水Ｃが大量で且つ強風のときには、横方向に隣り合う瓦本体Ｂの他方側端部と重合する第一重合部となる樋状部を逆流して、上段のものの前側端部を下段の瓦本体１の後側端部に重合する第二重合部となるバクロ／非バクロ境界Ａの後方において、同図にて矢印Ｄにて示すようにこの延長された部分を雨水が乗り越えて野地板側に侵入することが想定される。したがって防水リブ１１０をより高くする必要性があり、これにより、立上り部を必要以上に高く設定することとなって、屋根全体でのデザイン上の一体感が損なわれることが判明した。
【特許文献１】特開２００３−１９３６２４号公報
【発明の開示】
【発明が解決しようとする課題】
【００１１】
本願発明は、上記背景技術に鑑みてなされたものであり、その課題は、瓦本体後端部の防水リブを高くすることによらず、強風時にあっても大量の雨水が野地板側に侵入することを無くした防水上すぐれる平板瓦葺きの屋根瓦を提供することである。
【課題を解決するための手段】
【００１２】
上記課題を解決するために、本願発明の屋根瓦は、矩形状をした瓦本体を、左右に隣接するもの相互はその側端部が重合され、下列のものの棟側表面に上列のものの軒側端部が重ねられた状態に設置され施工なされる屋根瓦であって、前記瓦本体の左右に隣接するもの相互の表面が略同一高さをもって重合されるようその一方側端部を全体表面より低位置とし、一方側端部の表面側と他方側端部の裏面側それぞれに上下にわたる突条を設けて樋状部を形成するとともに、一方側端部の表面からの立下り部に瓦本体の外側に向けた突片を配設している。
【００１３】
また、前記突片を、その先端が軒側に向かうよう斜めに形成するのが好ましい。この立下り部に瓦本体の外側に向けた突片場合、前記立下り部を段差状とし、前記突片を瓦本体の他方側端部が重合されるときの位置規制をおこなう上部突片と同上部突片より上下方向にずれた下部突片とにより形成するのが好ましい。
【００１４】
さらに、前記突片を複数設けるとともに、前記上部突片と下部突片を互いに異なる位置に配置することも好ましい。
【発明の効果】
【００１５】
本願発明の屋根瓦においては、下列の瓦本体の棟側表面に上列の瓦本体の軒側端部が重ねられた状態に設置され施工なされる矩形状をした瓦本体の、左右に隣接するもの相互が重合される側端部において、軒側から棟側へ向けて吹き上がる雨水が、瓦本体立下り部に設けられた突片に当たって、瓦本体の全体表面より低位置の一方側端部の樋状部へ流れ込むので、強風時にあっても大量の雨水が野地板側に侵入することを防ぐことができて防水上すぐれる。
【００１６】
また、突片の先端が軒側に向かうよう斜めに形成された場合には、防水性がより向上するものとなる。
【００１７】
さらに、瓦本体が屋根に設置され施工なされる際に、相互の一方側端部と他方側端部とが重合されるときに、段差状の立下り部に設けられた上部突片により瓦本体の位置規制がなされるため、施工のときの瓦本体相互の横方向の位置決めが容易となる。
【００１８】
また、軒側から棟側へ向けて吹き上がる雨水が、互いに異なる位置に配置された複数の上部突片と下部突片とに当たって、瓦本体一方側端部の樋状部へ流れ込むこととなり、雨水が野地板側に侵入することをさらに防ぐことができ、以って、高い防水性が達成されて施工効率もすぐれる。
【発明を実施するための最良の形態】
【００１９】
図１、２は、本願の請求項１乃至請求項４に対応した一実施形態である屋根瓦を示している。この実施形態の屋根瓦は、背景技術の項にて説明した構成と同じく、矩形状をした瓦本体１を、左右に隣接するもの相互はその側端部が重合され、下列のものの棟側表面に上列のものの軒側端部が重ねられた状態に設置され施工なされる平板瓦葺きの屋根に用いることができる。そして、図１の概略説明のための斜視図に示す如く、瓦本体１の左右に隣接するもの相互の表面が略同一高さをもって重合されるようその一方側端部３を全体表面２より低位置とし、一方側端部３の表面側と他方側端部４の裏面側それぞれに上下にわたる突条３２、４２を設けて樋状部８（図２参照）を形成するとともに、一方側端部３の表面からの立下り部３３に瓦本体１の外側に向けた突片５（５１、５２で示す）を配設している。
【００２０】
この場合、突片５を、その先端が軒側に向かうよう斜めに形成しており、さらに、前記立下り部３３を段差状とし、突片５を瓦本体１の他方側端部４が重合されるときの位置規制をおこなう上部突片５１と同上部突片５１より上下方向にずれた下部突片５２とにより形成してもいる。
【００２１】
詳しくは、瓦本体１は、樹脂製の平板屋根瓦で、屋根に設置した状態で重厚感を持たせるため前側端部６に立上り部６１を設けて、この前側端部６の立上り部６１を下段の瓦本体１の後側端部７に重合するように施工するもので、瓦本体１周縁の立壁、すなわち立上り部６１に並行に、瓦本体１内部への雨水や火事等で発生する炎の進入を防止する縦断面矩形状の垂下片が横方向に連設され、同様に、第二重合部となる後側端部７の後周壁からも縦断面矩形状の立片７１が延設されている。なお、横方向の各々の側端部には、第一重合部となる突条３２、４２を設け、雨水の浸入や、火事などによる炎が内部に入りやすくなるのを防いで雨仕舞い性や防火性を向上させている。
【００２２】
突片５は、この場合、複数設けてあり、図２（ａ）に示すように、前記した如く上部突片５１と下部突片５２とを互いに異なる位置に配置している。また、この突片５は、矩形状をした瓦本体１の施工状態において、上段のものの前側端部６を下段の瓦本体１の後側端部に重合する第二重合部となるバクロ／非バクロ境界Ａより後側に設けられており、同図に示したように、横方向に隣り合う瓦本体Ｂの他方側端部４と重合する第一重合部となる樋状部８を、軒側から棟側へ向けて吹き上がる雨水Ｃ１が、この非バクロ領域において、互いに異なる位置に配置された複数の上部突片５１と下部突片５２とに当たって、瓦本体１の一方側端部３の樋状部８へ、矢印Ｃ２に示す経路に沿って流れ込むこととなる。
【００２３】
なお、この場合、第二重合部となる後側端部７の後周壁に設けられる、縦断面矩形状をもった防水リブの立片７１は、一方側端部３において他方側端部４の前後方向の位置決めとなるよう、同図に示すようにこの延長部７２を屈曲形成させてあるが、複数の上部突片５１と下部突片５２とに当たって雨水の勢いが軽減され、これを乗り越えて野地板側に侵入することも無くなるようになる。
【００２４】
この瓦本体１は、前記したように矩形状平板であり、塩化ビニール樹脂、アクリル樹脂、ポリカーボネート等の樹脂を用いて、射出成形や注型等により製造することができる。また、屋根材として不燃性や強度を向上させる必要があり、ガラス繊維やスチール繊維、ガラスビーズ、炭酸カルシウム等の不燃材料を充填材として適宜配合することが好ましい。これにより、重厚感のある形状を現出させ、軽量化及び強度の大なる屋根瓦を作ることができる。
【００２５】
この実施形態の瓦本体１による瓦葺きにおいては、背景技術の項にて示した屋根瓦と同じく、下段のものの上に上段のものが等間隔に配置されるように重ね葺きしてゆくが、瓦本体１は、横方向の側端部を重合させながら横方向に連接していき、下段の瓦本体１の後端側を瓦固定具とともに桟木や野地板等の屋根下地材にビス止め固定され、瓦固定具に設けられた瓦差込み部に上段の瓦本体１の先端側を差し込んで保持するようにして屋根に設置される。
【００２６】
矩形状をした瓦本体１は、下列の瓦本体１の棟側表面に上列の瓦本体１の軒側端部が重ねられた状態に設置され施工なされ、左右に隣接するもの相互が重合される側端部においては、図２（ｂ）に示すように、一方側端部３の表面側と他方側端部４の裏面側それぞれにに設けられている上下にわたる突条３２、４２により、屋根において棟側から軒側へ向けて雨水を流下させる樋状部８が形成される。これにより、強風時の降雨にあって軒側から棟側へ吹き上がる雨水Ｃ１は、同図（ａ）に示すように、瓦本体１の立下り部３３に設けられた突片５（５１、５２）に当たって、瓦本体１の全体表面より低位置の一方側端部３の樋状部８へ流れ込むのである。
【００２７】
また、屋根に瓦本体１が設置し施工するにあたって、左右に隣接するもの相互の一方側端部３と他方側端部４とを重合させる際には、段差状の立下り部３３に設けられた上部突片５１に他方側端部４の周壁４１が当接して瓦本体１の位置が容易に規制される。
【００２８】
この場合、突片５の先端が軒側に向かうよう斜めに形成されており、強風時の降雨にあって軒側から棟側へ吹き上がる雨水Ｃ１は図２（ａ）に示すように、より確実にせき止められ、さらに、互いに異なる位置に配置された複数の上部突片５１と下部突片５２とに当たって、瓦本体１の一方側端部３の樋状部８へ流れ込むこととなる。
【００２９】
したがって、以上説明した屋根瓦によると、下列の瓦本体１棟側表面に上列の瓦本体１軒側端部が重ねられた状態に設置され施工なされる矩形状をした瓦本体１の、左右に隣接するもの相互が重合される側端部３おいて、軒側から棟側へ向けて吹き上がる雨水Ｃ１が、瓦本体１の立下り部に設けられた突片５（５１、５２）に当たって、瓦本体１の全体表面２より低位置の一方側端部３の樋状部８へ流れ込むので、強風時にあっても大量の雨水が野地板側に侵入することを防ぐことができて防水上すぐれる。
【００３０】
また、突片５の先端が軒側に向かうよう斜めに形成された場合には、防水性がより向上するものとなる。
【００３１】
さらに、瓦本体１が屋根に設置され施工なされる際に、相互の一方側端部３と他方側端部４とが重合されるときに、段差状の立下り部３３に設けられた上部突片５１により瓦本体１の位置規制がなされるため、施工のときの瓦本体相互の横方向の位置決めが容易となる。
【００３２】
また、軒側から棟側へ向けて吹き上がる雨水が、互いに異なる位置に配置された複数の上部突片５１と下部突片５２とに当たって、瓦本体１の一方側端部３の樋状部８へ流れ込むこととなり、雨水Ｃ１が野地板側に侵入することをさらに防ぐことができ、以って、高い防水性が達成されて施工効率もすぐれる。
【図面の簡単な説明】
【００３３】
【図１】本願発明の一実施形態である屋根瓦を示した斜視図。
【図２】同屋根瓦の防水作用を説明する説明図。
【図３】従来例である屋根瓦の全体を示す斜視図。
【図４】同屋根瓦の施工状態を示す説明図。
【図５】同屋根瓦の防水作用を説明する説明図。
【符号の説明】
【００３４】
１      瓦本体
３      一方側端部
３２    突条
３３    立下り部
４      他方側端部
４２    突条
５      突片
５１    上部突片
５２    下部突片
【図１】
2005213726.tif 000003
【図２】
2005213726.tif 000004
【図３】
2005213726.tif 000005
【図４】
2005213726.tif 000006
【図５】
2005213726.tif 000007